(57)【特許請求の範囲】
【請求項１】
指を収容可能な複数の指袋を備え、人の指先腹部に相当する指袋の先端腹部で触れる導通対象物と手袋の内部の手との間を前記手袋の構成生地を貫通した導電糸を通して導通可能とした手袋において、
前記指袋の先端腹部とそれ以外の部位とを含む前記手袋の一部の外面を外部導電層で被覆すると共に、前記手袋のうち前記指袋の先端腹部以外で前記外部導電層に被覆された部位に前記導電糸を縫い付けたことを特徴とする手袋。
【請求項２】
前記導電糸と導通しかつ前記手袋の内面を被覆する内部導電層を設けたことを特徴とする請求項１に記載の手袋。
【請求項３】
前記指袋のうち前記先端腹部より基端側に、前記導電糸又は、前記導電糸と導通しかつ前記手袋の内面を被覆する内部導電層を配置したことを特徴とする請求項１又は２に記載の手袋。
【請求項４】
人の指の甲部に相当する前記指袋の甲部に、前記導電糸又は、前記導電糸と導通しかつ前記手袋の内面を被覆する内部導電層を配置したことを特徴とする請求項１乃至３の何れか１の請求項に記載の手袋。
【請求項５】
親指以外の指用の前記指袋の前記甲部のうち長手方向の先端から２／３となる位置に前記導電糸又は前記内部導電層を配置したことを特徴とする請求項４に記載の手袋。
【請求項６】
手袋の構成生地同士を縫製する縫製用糸の少なくとも一部に前記導電糸を使用したことを特徴とする請求項１乃至５の何れか１の請求項に記載の手袋。
【請求項７】
前記外部導電層は、導電性パウダーを含有したアクリル系樹脂層又はウレタン系樹脂層であることを特徴とする請求項１乃至６の何れか１の請求項に記載の手袋。
【請求項８】
前記導電性パウダーは、カーボンナノチューブのパウダーであることを特徴とする請求項７に記載の手袋。
【発明の詳細な説明】
【技術分野】
【０００１】
本発明は、手袋を装着した状態でタッチパネル等の導通対象物に手袋内の手を導通接続させることが可能な手袋に関する。
【背景技術】
【０００２】
従来、この種の手袋として、指袋の先端腹部（人の指先腹部に相当する部分）に、導電糸を貫通させるように縫い付けたものが知られている。そして、この手袋では、指袋の先端腹部のうち内面側の導電糸に人の指先腹部を押し付け、指袋の先端腹部のうち外面側の導電糸をタッチパネル等の導通対象物に押し付けることで、導電糸を通して手袋の内部の手と外部の導通対象物とを導通させていた（例えば、特許文献１参照）。
【先行技術文献】
【特許文献】
【０００３】
【特許文献１】特開２００８−８１８９６号公報（段落［００２２］、図１）
【発明の概要】
【発明が解決しようとする課題】
【０００４】
しかしながら、上記した構成では、手袋のうち物に触れる頻度が比較的高い部位である指袋の先端腹部に導電糸が縫い付けられて、凹凸や縫製針の通し孔が形成されるので、手袋の耐久性が低下する事態が生じ得た。また、手袋のサイズに比べて小さい手の人が使用した場合に、人の指先腹部を手袋内で導電糸に押し付けることができず、手袋の内部の手と外部の導通対象物との間の導通を図れない場合があった。
【０００５】
本発明は、上記事情に鑑みてなされたもので、第１の目的は、耐久性を低下させずに、内部の手と外部の導通対象物との間を導通させることが可能な手袋の提供にあり、第２の目的は、サイズ違いの使用であっても内部の手と外部の導通対象物との間を導通させることが可能な手袋の提供にある。
【課題を解決するための手段】
【０００６】
上記目的を達成するためになされた請求項１の発明に係る手袋は、指を収容可能な複数の指袋を備え、人の指先腹部に相当する指袋の先端腹部で触れる導通対象物と手袋の内部の手との間を前記手袋の構成生地を貫通した導電糸を通して導通可能とした手袋において、指袋の先端腹部とそれ以外の部位とを含む手袋の一部の外面を外部導電層で被覆すると共に、手袋のうち指袋の先端腹部以外で外部導電層に被覆された部位に導電糸を縫い付けたところに特徴を有する。
【０００７】
請求項２の発明は、請求項１に記載の手袋において、導電糸と導通しかつ手袋の内面を被覆する内部導電層を設けたところに特徴を有する。
【０００８】
請求項３の発明は、請求項１又は２に記載の手袋において、指袋のうち先端腹部より基端側に、導電糸又は、導電糸と導通しかつ手袋の内面を被覆する内部導電層を配置したところに特徴を有する。
【０００９】
請求項４の発明は、請求項１乃至３の何れか１の請求項に記載の手袋において、人の指の甲部に相当する指袋の甲部に、導電糸又は、導電糸と導通しかつ手袋の内面を被覆する内部導電層を配置したところに特徴を有する。
【００１０】
請求項５の発明は、請求項４に記載の手袋において、親指以外の指用の指袋の甲部のうち長手方向の先端から２／３となる位置に導電糸又は内部導電層を配置したところに特徴を有する。
【００１１】
請求項６の発明は、請求項１乃至５の何れか１の請求項に記載の手袋において、手袋の構成生地同士を縫製する縫製用糸の少なくとも一部に導電糸を使用したところに特徴を有する。
【００１２】
請求項７の発明は、請求項１乃至６の何れか１の請求項に記載の手袋において、外部導電層は、導電性パウダーを含有したアクリル系樹脂層又はウレタン系樹脂層であるところに特徴を有する。
【００１３】
請求項８の発明は、請求項７に記載の手袋において、導電性パウダーは、カーボンナノチューブのパウダーであるところに特徴を有する。
【発明の効果】
【００１４】
［請求項１の発明］
請求項１の手袋では、導通対象物との導通のために指袋の先端腹部の外面を外部導電層にて被覆したので、従来のように導通のために指袋の先端腹部に導電糸を縫い付けて凹凸や縫製針の通し孔が形成されるようなことはない。また、外部導電層は手袋のうち指袋の先端腹部以外の部位も被覆し、指袋の先端腹部以外で外部導電層に被覆された部位に導電糸が縫い付けられているので、先端腹部の外部導電層で触れた導通対象物と手袋内の手とを、外部導電層と導電糸とを通して導通させることができる。即ち、本発明の手袋によれば、耐久性を低下させずに、内部の手と外部の導通対象物との間を導通させることができる。
【００１５】
なお、本発明において、「人の指先腹部」とは、指の腹部のうち第１関節の内側に形成されている曲げ線より先端側の部位を指す。また、「人の指先腹部に相当する指袋の先端腹部」とは、指袋のうち、人の指の全長の指先腹部が占める位置・割合と同じ位置・割合となる部位を指す。なお、人差指、薬指の指先腹部は、実測すると先端から全長の約３／８の範囲に相当するので、人差指用及び薬指用の指袋の場合には、その先端から全長の約３／８の範囲が、指袋の先端腹部に相当し、中指の先端腹部は、実測すると先端から全長の約１／３の範囲に相当するので、中指用の指袋の場合には、その先端から全長の約１／３の範囲が、指袋の先端腹部に相当し、さらに、小指の先端腹部は、実測すると前端から全長の約５／１２の範囲に相当するので、小指用の指袋の場合には、その先端から約５／１２の範囲が、指袋の先端腹部に相当する。
【００１６】
［請求項２の発明］
請求項２の構成によれば、導電糸と導通しかつ手袋の内面を被覆する内部導電層を設けたので、手と手袋との間の導通接触面積を広く確保することができ、導通状態が安定する。
【００１７】
［請求項３の発明］
請求項３の構成によれば、指先が指袋の先端腹部まで届かない場合も、指袋のうち先端腹部より基端側に配置された導電糸又は内部導電層に指を接触させることができる。即ち、本発明の手袋によれば、サイズ違いの使用であっても内部の手と外部の導通対象物との間を導通させることができる。
【００１８】
［請求項４及び５の発明］
請求項４の構成では、導電糸又は内部導電層を指袋の甲部に配置したので、手袋内の指を曲げて導通対象物に触れる操作を行った場合に、指の甲が導電糸又は内部導電層に押し付けられ、導通状態がより安定する。特に、請求項５の構成のように、親指以外の指用の指袋の甲部のうち、長手方向の先端から略２／３となる位置に導電糸又は内部導電層を配置すれば、指を曲げたときに最も尖る第２関節の甲が導電糸又は内部導電層に高い接圧で押し付けられて、導通状態が一層安定する。
【００１９】
［請求項６の発明］
請求項６の手袋では、手袋の構成生地同士を縫製する縫製用糸の少なくとも一部に導電糸を使用したので、導電糸を目立たせないようにすることができ、手袋のデザイン性をそこなうことがなく、また、コストアップをおさえることもできる。  
【００２０】
［請求項７の発明］
請求項７の構成によれば、アクリル系樹脂層又はウレタン系樹脂層のエマルジョンに導電性パウダーを混合した塗料を手袋の構成生地に塗布することで、外部導電層を容易に形成することができる。
【００２１】
［請求項８の発明］
請求項８の構成のように、導電性パウダーをカーボンナノチューブのパウダーとすることで、通常のカーボンパウダーを使用した場合に比べて外部導電層の透明性が高くなる。これにより、外部導電層を任意の色に着色したり、手袋の構成生地を透視させることが可能になる。
【図面の簡単な説明】
【００２２】
【図１】本発明の第１実施形態に係る手袋の甲部の正面図
【図２】手袋の腹部の正面図
【図３】手袋の構成生地の断面模式図
【図４】手袋における指袋を裏返しにして甲部裏面側から見た正面図
【図５】手袋における指袋の側断面図
【図６】サイズ違いで使用された手袋における指袋の側断面図
【図７】第２実施形態に係る手袋の甲部の正面図
【図８】手袋の腹部の正面図
【発明を実施するための形態】
【００２３】
［第１実施形態］
以下、本発明の一実施形態を図１〜図６に基づいて説明する。図１及び図２に示すように、本実施形態の手袋１０は、手袋本体部１６から５つの指袋１１，１２，１３，１４，１５が突出した構造になっている。なお、図１及び２には、左右の一方の手袋１０のみが示されているが、手袋１０は対にして設けられ、それら両方の手袋１０は、左右対称の同一構造になっている。
【００２４】
本実施形態の手袋１０は、例えば、複数の織布（本発明の「構成生地」に相当する）を縫製してなる。具体的には、「人の手の腹部」に相当する手袋本体部１６の腹部と、「人の手の甲部」に相当する手袋本体部１６の甲部とは、別々の織布で構成されて、それら織布同士が手袋本体部１６の側面で縫い合わされている。
【００２５】
「人の指の腹部」に相当する指袋１１，１２，１３，１４，１５の腹部と、「人の指の甲部」に相当する指袋１１，１２，１３，１４，１５の甲部も別々の織布で構成されている。また、図２に示すように、指袋１１，１２，１３，１４，１５の腹部の織布は、手袋本体部１６側で一体になっている。また、指袋１２，１３，１４，１５の隣り合った側面の「マチ」と呼ばれる部位は、別の織布で構成されている。そして、これら織布同士が指袋１１，１２，１３，１４，１５の側面で縫い合わされている。
【００２６】
上記した手袋１０を構成する複数の織布は、例えば、外面をエラストマー層で覆われた防水織布２０と、外面がエラストマー層で覆われていない通気織布２１とからなり、図１及び図２では、防水織布２０に斜線のハッチングが付されている。即ち、図２に示すように、手袋１０の腹部では、手首側の端部を除く全体に防水織布２０が使用されている。また、図１に示すように、手袋１０の甲部では、手袋本体部１６の縦方向の中間位置を横切って延びた帯状領域と、各指袋１１，１２，１３，１４，１５における一部の領域とに防水織布２０が使用されている。
【００２７】
具体的には、中指用及び薬指用の指袋１３，１４では、それらの甲部の全領域のうち例えば先端側の約１／３の領域に防水織布２０が使用されている。小指用の指袋１５では、その甲部の全領域のうち薬指側の先端寄り位置と、その反対側の基端位置との間を結ぶ縫製線Ｌ１５より先端側に防水織布２０が使用されている。親指用の指袋１１に関しては、その甲部の全領域のうち人差指側の基端位置と、その反対側の先端寄り位置との間を結ぶ縫製線Ｌ１１より先端側に防水織布２０が使用されている。人差指用の指袋１２に関しては、その甲部の全領域のうち中指側の先端寄り位置と、その反対側の基端位置との間を結ぶ縫製線Ｌ１２より先端側に防水織布２０が使用されている。
【００２８】
なお、図５に人差指用の指袋１２を代表例として示したように、各指袋１１，１２，１３，１４，１５では、通気織布２１が甲部全体に使用され、その通気織布２１の外側に防水織布２０が重ねて縫製されている。
【００２９】
手袋１０のうち一部の防水織布２０の外面は、本発明に係る外部導電層２２によって被覆されている。これにより、防水織布２０の一部は、図３に示すように、織布層２０Ａの外側にエラストマー層２０Ｂが積層され、さらにその外側に外部導電層２２が積層された構造になっている。また、外部導電層２２は、例えば、カーボンナノチューブのパウダーを、アクリル系樹脂又はウレタン系樹脂のエマルジョンに混合してなる塗料を、防水織布２０の外面に塗布して形成されている。
【００３０】
図１及び図２には、手袋１０の外面のうち外部導電層２２で被覆された部分が、ドットのハッチングで示されている。即ち、本実施形態の手袋１０では、親指用と人差指用と中指用の指袋１１，１２，１３の防水織布２０と手袋本体部１６の一部の防水織布２０の外面が外部導電層２２にて被覆されている。
【００３１】
より詳細には、手袋１０の腹部では、図２に示すように、親指用の指袋１１のうち、人の指先腹部に相当する先端腹部１１Ａの外面が外部導電層２２で被覆されている。また、人差指用及び中指用の指袋１２，１３の腹部全体と、手袋本体部１６の腹部におけるそれら指袋１２，１３の付け根部分とに亘った範囲が連続して外部導電層２２で被覆されている。また、人差指用及び中指用の指袋１２，１３の間の「マチ」と呼ばれる部位も全体が外部導電層２２で被覆されている。一方、手袋１０の甲部では、図１に示すように、親指用の指袋１１の甲部における防水織布２０全体と、人差指用の指袋１２の甲部における防水織布２０全体が外部導電層２２で被覆されている。
【００３２】
本実施形態の手袋１０では、親指用と人差指用の指袋１１，１２の甲部の防水織布２０，２０における基端縁を通気織布２１に縫い付ける縫製糸に導電糸２３が使用されている。導電糸２３は、上記した外部導電層２２を形成するための塗料を、例えば木綿糸に含浸させてなる。そして、導電糸２３が、防水織布２０と通気織布２１とを貫通して、手袋１０の外面と内面の両方に露出している。この導電糸２３が指袋１１，１２に縫い付けられており、かつ、その後に、外部導電層２２を塗布により形成して、その一部分と接している。
【００３３】
図４には、人差指用の指袋１２を裏返しにして甲部裏面側から見た平面図が示されている。同図に示すように、人差指用の指袋１２の内面のうち縫製線Ｌ１２の導電糸２３に沿った帯状領域は、本発明に係る内部導電層２４によって被覆されている。この内部導電層２４は、上記した外部導電層２２を形成するための塗料を、通気織布２１の内面に塗布してなる。そして、導電糸２３によって、手袋１０の外面側の外部導電層２２と内面側の内部導電層２４とが導通接続されている。図示しないが親指用の指袋１１の内面も、人差指用の指袋１２の内面と同様に、縫製線Ｌ１１の導電糸２３に沿った帯状領域が内部導電層２４によって被覆されている。
【００３４】
本実施形態の手袋１０の構成に関する説明は以上である。次に、手袋１０の作用効果について説明する。手袋１０を手に装着したまま、図５に示すように、タッチパネル３０を人差指用の指袋１２の先端腹部で触れると、その指袋１２における外部導電層２２、導電糸２３及び内部導電層２４を通してタッチパネル３０と内部の人差指とが導通接続される。これにより、手袋１０を外さずにタッチパネル３０を操作することができる。タッチパネル３０を、親指用の指袋１１の先端腹部で触れた場合も同様である。また、タッチパネル３０を中指用の指袋１３の先端腹部で触れた場合には、中指用の指袋１３の外部導電層２２と人差指用の指袋１２の外部導電層２２、導電糸２３及び内部導電層２４を通してタッチパネル３０と内部の中指とが導通接続される。さらには、タッチパネル３０以外に、例えば、静電容量センサ内蔵の車両用ドアノブ等の導通対象物を、手袋１０を装着したままの手で触れた場合も同様に、導通対象物を作動させることができる。
【００３５】
ここで、本実施形態の手袋１０では、タッチパネル３０等の導通対象物との導通のために指袋１１，１２，１３の腹部の外面を外部導電層２２にて被覆したので、従来のように導通のために指袋の先端腹部に導電糸を縫い付けて凹凸や縫製針の通し孔が形成されるようなことはない。これにより、手袋１０の耐久性や意匠性や防寒性を低下させずに、内側の手と外側の導通対象物との間を導通させることができる。また、手袋１０の内面を導電糸２３に導通した内部導電層２４で被覆したので、手と手袋１０との間の導通接触面積を広く確保することができ、導通状態が安定する。さらに、本実施形態では、導電糸２３を、指袋１１，１２の構成生地（防水織布２０，通気織布２１）の縫製用糸の一部として使用したので、導電糸２３を目立たせないようにすることができ、手袋のデザイン性を損なうことがない。
【００３６】
また、本実施形態の手袋１０では、指袋１１，１２のうち先端腹部より基端側に導電糸２３及び内部導電層２４が配置されているので、図６に示すように、指先が指袋１１，１２の先端腹部に届かないような場合であっても、指袋１１，１２の内部で導電糸２３及び内部導電層２４に指を接触させることができる。即ち、本実施形態の手袋１０では、サイズ違いの使用であっても内部の手と外部の導通対象物との間を導通させることができる。
【００３７】
しかも、導電糸２３及び内部導電層２４が指袋１１，１２の甲部に配置されているので、手袋１０内の指を曲げて導通対象物に触れる操作を行った場合に、図５及び図６に示すように、指の甲が導電糸２３及び内部導電層２４が強く押し付けられ、導通状態が安定する。また、人差指用の指袋１２では、甲部のうち長手方向の先端から２／３となる位置を含んだ範囲に導電糸２３及び内部導電層２４が配置されている（図４参照）ので、サイズが合った人が手袋１０を使用した場合に、指を曲げたときに最も尖る第２関節の甲が導電糸２３及び内部導電層２４に高い接圧で押し付けられることになり、導通状態の安定性が一層高くなる。
【００３８】
なお、本実施形態では、外部導電層２２を形成するための塗料に含める導電剤として、カーボンナノチューブのパウダーを使用したので、通常のカーボンパウダーを導電剤として使用した場合に比べて透明性が高く、外部導電層２２を任意の色に着色し易く、手袋１０の構成生地（防水織布２０，通気織布２１）を透視させることもできる。
【００３９】
［第２実施形態］
本実施形態の手袋１０Ｖは、図７及び図８に示されており、外部導電層２２Ｖの配置のみが第１実施形態と異なる。即ち、本実施形態の手袋１０Ｖでは、外部導電層２２Ｖが、図８に示すように、人差指用の指袋１２における先端腹部の外面と、図７に示すように、人差指用の指袋１２の甲部における先端部（即ち、先端甲部）と縫製線Ｌ１２に沿った帯状領域とに配置されている。また、これら人差指用の指袋１２の先端腹部と先端甲部と縫製線Ｌ１２に沿った帯状領域の外部導電層２２は互いに導通している。上記以外の構成は、第１実施形態と同じである。本実施形態の手袋１０Ｖは、前記第１実施形態の手袋１０に比べて外部導電層２２の被覆面積が小さいので、低コストで製造することができる。
【００４０】
［他の実施形態］
本発明は、前記実施形態に限定されるものではなく、例えば、以下に説明するような実施形態も本発明の技術的範囲に含まれ、さらに、下記以外にも要旨を逸脱しない範囲内で種々変更して実施することができる。
【００４１】
（１）前記第１実施形態の手袋１０は、防水織布２０と通気織布２１とで構成されていたが、手袋の構成生地は、どのようなものであってもよく、例えば、天然皮革、合成皮革、不織布、ニット、ゴム等であってもよい。よって、外部導電層、内部導電層に被覆される手袋の構成生地もどのようなものであってもよい。
【００４２】
（２）前記第１実施形態では、導電糸２３が指袋１１，１２に縫い付けられていたが、例えば、手袋本体部１６の腹部や甲部に導電糸を縫い付けて、人の手本体（指を除く）に導電糸又は内部導電層を接触させてもよい。
【００４３】
（３）前記第１実施形態の外部導電層２２及び内部導電層２４は、カーボンナノチューブを含有したエマルジョン系のアクリル系樹脂層又はウレタン系樹脂層であったが、本発明に係る外部導電層及び内部導電層は、以下のものを使用しても良い。導電体としては、カーボンナノチューブ以外の（例えば、金属粉、カーボンブラック、金属酸化物、金属箔）を使用してもよく、アクリル系樹脂又はウレタン系樹脂以外のベース材（ビニル、エポキシ）を使用してもよく、利用携帯としてはエマルジョン系のもの、溶剤系のものであってもよい。
【００４４】
（４）外部導電層及び内部導電層を形成するための塗料の塗布方法としては、刷毛塗り、ディッピング、噴霧、漬けおき等が挙げられる。また、縫製後の手袋に塗料を塗布してもよいし、縫製前の手袋の構成生地に塗布してもよい。
【００４５】
（５）前記第１実施形態の導電糸２３は、カーボンナノチューブを含有したエマルジョン系のアクリル系樹脂又はウレタン系樹脂を含浸させたものであったが、本発明に係る導電糸としては、例えば、金属糸や、カーボンファイバー（例えば、ミクロンサイズのカーボンブラック粒子を練り込んだもの）や、金属メッキ糸（例えば、銅、ニッケル等のメッキで被覆した、アクリル繊維、モダアクリル繊維、メタ系アミド繊維）等であってもよい。
【符号の説明】
【００４６】
１０，１０Ｖ    手袋
１１，１２，１３，１４，１５    指袋
２０    防水織布（構成生地）
２１    通気織布（構成生地）
２２，２２Ｖ    外部導電層
２３    導電糸
２４    内部導電層
３０    タッチパネル
【図１】
0005683043.tif 000002
【図２】
0005683043.tif 000003
【図３】
0005683043.tif 000004
【図４】
0005683043.tif 000005
【図５】
0005683043.tif 000006
【図６】
0005683043.tif 000007
【図７】
0005683043.tif 000008
【図８】
0005683043.tif 000009